(57)【要約】【課題】開封し易く、かつ開封後に被包装物を速やかに取り出すことができるように改良された易開封性包装袋を提供することを目的とする【解決手段】包装袋１は、一方の側のフィルム２と他方の側のフィルム３とに囲まれて形成された収容部に被包装物を収容するものである。一方の側のフィルム２には、当該包装袋１の幅方向に延びるハーフカット線で形成された第１の開封誘導線６が設けられている。他方の側のフィルム３には、ハーフカット線で形成された第２の開封誘導線７が設けられている。第２の開封誘導線７は、その中央部のハーフカット線７ｂが第１の開封誘導線６から上記幅方向と直交する方向にずれた位置に形成されている。第２の開封誘導線７の両端部のハーフカット線７ａと中央部のハーフカット線７ｂは、複数本に分岐したハーフカット線又は広幅に形成されたハーフカット線７ｃで連結されてなる。【選択図】図１
2016150754.tif 000002
【特許請求の範囲】
【請求項１】
一方の側のフィルムと他方の側のフィルムとに囲まれて形成された収容部を有する包装袋において、
一方の側のフィルムには、当該包装袋の幅方向に延びるハーフカット線で形成された第１の開封誘導線が設けられ、
他方の側のフィルムには、ハーフカット線で形成された第２の開封誘導線が設けられ、
前記第２の開封誘導線は、その中央部のハーフカット線が前記第１の開封誘導線から前記幅方向と直交する方向にずれた位置に形成され、かつその両端部のハーフカット線と前記中央部のハーフカット線が、複数本に分岐したハーフカット線又は、前記両端部若しくは中央部のハーフカット線よりも広幅に形成されたハーフカット線で連結されてなることを特徴とする、包装袋。
【請求項２】
前記第２の開封誘導線において、その中央部のハーフカット線が前記第１の開封誘導線から前記幅方向と直交する下方向にずれた位置に形成されていることを特徴とする請求項１記載の包装袋。
【請求項３】
前記一方の側のフィルム及び他方の側のフィルムは、表層／接着層／中間層／シール層の積層構造を有し、前記シール層が内側になるようにシールされており、
前記それぞれのハーフカット線は、レーザ加工によって前記表層側からハーフカットすることによって形成されている、請求項１又は２に記載の包装袋。
【発明の詳細な説明】
【技術分野】
【０００１】
本発明は一般に包装袋に関するものであり、より特定的には、開封し易く、かつ開封後に被包装物を速やかに取り出すことができるように改良された易開封性包装袋に関する。
【背景技術】
【０００２】
図５（Ａ）に示すように、従来から使用されている食品包装用袋２３は、再封止手段であるチャック２９を有する袋（チャックを合わせて端から軽くおさえて閉める袋）である。４辺が熱シールされ、一方の側のフィルムと他方の側のフィルムとに囲まれて形成された収容部に、被包装物である例えば粉末カレーなどの内容物２４が密封される。開封しやすいように、一方の側のフィルムと他方の側のフィルムに、幅方向に延びる開封誘導線２５が入れられている。
【０００３】
しかし、図５（Ａ）（Ｂ）を参照して、開封誘導線２５は、高さ方向において表も裏も同じ位置に入れられていたので、開封後においても、取り出し口２６が塞がれた状態で、切り口の端を指でつまむことができない。ひいてはチャック２９を開け難く、内容物２４を取り出し難いという問題点があった。
【０００４】
このような問題を解決する工夫として、特許文献１等の技術が提案されている。
【先行技術文献】
【特許文献】
【０００５】
【特許文献１】特開２０１４−５５０１６号公報
【発明の概要】
【発明が解決しようとする課題】
【０００６】
しかしながら、開封しようとする消費者の癖や利き腕の違いにより、ハーフカット線に沿って切れない場合があるという課題があった。
【０００７】
この発明は、上記のような課題を解決するためになされたもので、どちらの側から切っても、段差が確実に生じ、切り口の端を指で容易につまむことができ、ひいては開封し易い包装袋を提供することを目的とする。
【０００８】
この発明の他の目的は、そのような包装袋を製造する方法を提供することにある。
【課題を解決するための手段】
【０００９】
本発明は、一方の側のフィルムと他方の側のフィルムとに囲まれて形成された収容部を有する包装袋に係る。上記一方の側のフィルムには、当該包装袋の幅方向に延びるハーフカット線で形成された第１の開封誘導線が設けられている。上記他方の側のフィルムには、ハーフカット線で形成された第２の開封誘導線が設けられている。上記第２の開封誘導線は、その中央部のハーフカット線が上記第１の開封誘導線から上記幅方向と直交する方向にずれた位置に形成され、かつその両端部のハーフカット線と上記中央部のハーフカット線が、複数本に分岐したハーフカット線又は、該両端部のハーフカット線若しくは該中央部のハーフカット線よりも広幅に形成されたハーフカット線で連結されてなることを特徴とする。
【００１０】
上記第２の開封誘導線において、上記両端部のハーフカット線と上記中央部のハーフカット線は、切れやすい、複数本に分岐したハーフカット線で連結されてなるので、両端部から切れて、続いて複数本に分岐したハーフカット線が切れ、その後、中央部のハーフカット線が切れていく。
【００１１】
また、上記第２の開封誘導線において、上記両端部のハーフカット線と上記中央部のハーフカット線が、幅を広く形成されたハーフカット線で連結されてなる場合も、両端部から中央に向かって切れてきた力が、幅の広いハーフカット線で一旦受け止められ、続いて該幅の広いハーフカット線に沿って切れ、その後、中央部のハーフカット線が切れていく。
【００１２】
第２の開封誘導線の中央部のハーフカット線は、上記第１の開封誘導線から上記幅方向と直交する方向にずれた位置に形成されているので、開封後に、上記幅方向と直交する高さ方向において、一方の側のフィルムの開口端と他方の側のフィルムの開口端との間に段差ができるようになる。
【００１３】
上記第２の開封誘導線において、その中央部のハーフカット線の上記ずれる方向は、上記第１の開封誘導線から上記幅方向と直交する下方向、すなわち袋の下方向（チャックに向かう方向）が好ましい。そうすることで、袋にフック穴（店頭で吊下げて陳列するためにあけるパンチ穴）をあけた場合、ハーフカット線とパンチ穴が重ならず、袋の自重でパンチ穴と重なっているハーフカット線が破れるというリスクを回避できる。
【００１４】
上記複数本に分岐したハーフカット線又は広幅に形成されたハーフカット線による連結部は、包装袋の両側に設けられているので、左側から切っても右側から切っても、段差が確実に生じる。
【００１５】
本発明の包装袋は、第１の開封誘導線及び第２の開封誘導線に対し、切れ目のきっかけを与える切欠き部を有していてもよい。切欠き部の形状は、Iノッチ、Ｖノッチ、亀の甲ノッチなど公知の切欠き部を用いることができる。切欠き部を有する場合、該切欠き部は袋の両端２か所に形成されるのが好ましい。
【００１６】
第１の開封誘導線及び第２の開封誘導線は、切欠き部を有していない場合には、包装袋の一端から他端まで形成され、切欠き部を有する場合には、一端側に形成された該切欠き部の先端から他端側に切欠き部の先端まで形成される。
【００１７】
上記一方の側のフィルムと他方の側のフィルムは、表層／接着層／中間層／シール層の積層構造を有し、上記シール層が内側になるように接着されており、それぞれの開封誘導線は、レーザ加工によって上記表層側からハーフカットすることによって形成されているのが好ましい。
【００１８】
上記表層はポリエステル系フィルム又はポリアミド系フィルムで形成されており、上記中間層はアルミ箔で形成されており、上記シール層はポリエチレン系フィルムで形成されているのが好ましい。
【発明の効果】
【００１９】
本発明によれば、開封後に、高さ方向において一方の側のフィルムの開口端と他方の側のフィルムの開口端との間に段差が確実にできるので、切り口の端を指で容易につまむことができ、ひいては取り出し口を容易に開けて、内容物を取り出すことができる。また、左側から切っても右側から切っても、段差が確実に生じる。
【図面の簡単な説明】
【００２０】
【図１】（Ａ）は、本発明に係る易開封性の包装袋の斜視図であり、（Ｂ）は一方の側から見た正面図であり、（Ｃ）は他方の側から見た正面図である。
【図２】（Ａ）は、両端部のハーフカット線と中央部のハーフカット線を連結する連結用のハーフカット線が複数本に分岐したハーフカット線で形成されている態様であり、（Ｂ）は連結用のハーフカット線が両端部若しくは中央部のハーフカット線よりも広幅に形成されたハーフカット線で形成されている態様である。
【図３】本発明に係る包装袋の開封の動作を説明する図である。
【図４】第１及び第２の開封誘導線を形成するレーザ加工の様子を説明する図である。
【図５】（Ａ）従来から使用されている食品包装用袋の概念図であり、（Ｂ）は従来の食品包装用袋の問題点を示す図である。
【発明を実施するための形態】
【００２１】
開封し易く、かつ開封後に被包装物を速やかに取り出すことができるように改良された包装袋を得るという目的を、開封後に、高さ方向において一方の側のフィルムの開口端と他方の側のフィルムの開口端との間に段差が確実にできるようにすることによって実現した。以下、本発明の実施例を、図を用いて説明する。なお、各図中において、同一又は相当する部分には同一の参照番号を付し、その説明を繰り返さない。
【実施例１】
【００２２】
図１（Ａ）、（Ｂ）および（Ｃ）を参照して、包装袋１は、一方の側のフィルム２と他方の側のフィルム３とに囲まれて形成された収容部に被包装物を収容するものである。包装袋１は、再封止手段であるチャック２９を備える。一方の側のフィルム２には、当該包装袋１の幅方向に一直線に延びるハーフカット線で形成された第１の開封誘導線６が設けられている。他方の側のフィルム３には、ハーフカット線で形成された第２の開封誘導線７が設けられている。第２の開封誘導線７は、その両端部のハーフカット線７ａが当該包装袋の厚み方向の投影において、第１の開封誘導線６の両端部と重なっている（許容範囲内でずれてもよい）。第２の開封誘導線７の中央部のハーフカット線７ｂは、幅方向に一直線に延びる第１の開封誘導線６から、該幅方向と直交する方向にずれた位置に形成されている。さらに上記両端部のハーフカット線７ａと中央部のハーフカット線７ｂは、複数本に分岐したハーフカット線又は広幅に形成されたハーフカット線７ｃで連結されている。上端を除き、底部４と側部５，５の３辺が熱シールされている。切れ目のきっかけを与える切欠き部２８が、第１及び第２の開封誘導線６，７の両端部に連なって設けられている。
【００２３】
図２（Ａ）（Ｂ）を参照して、第２の開封誘導線７についてさらに詳しく説明する。第２の開封誘導線７は、両端部のハーフカット線７ａと中央部のハーフカット線７ｂと、両者７ａ、７ｂを連結するハーフカット線７ｃからなる。図２（Ａ）に示す態様では、ハーフカット線７ｃは、複数本に分岐したハーフカット線からなっている。このように構成することにより、後述するように、段差を形成しながら切れて開封しやすくなることが見出された。
【００２４】
図２（Ｂ）に示す態様では、連結用のハーフカット線７ｃは、両端部のハーフカット線７ａと中央部のハーフカット線７ｂよりも広幅に形成されたハーフカット線であってもよい。このように構成しても段差を形成しながら切れていくことが見出された。
【００２５】
収容部に被包装物を充填して、上端部を熱シールすることにより、被包装物は密封される。
【００２６】
このように構成された包装袋の開封の動作について説明する。
【００２７】
図３（Ａ）を参照して、第１及び第２の開封誘導線６，７はいずれもハーフカット線であるので、切れやすくなっている。第１の開封誘導線６は、切欠き部２８より切れ目のきっかけが与えられると、幅方向に一直線に水平に切れていく。図３（Ｂ）を参照して、第２の開封誘導線７においては、両端部のハーフカット線７ａと中央部のハーフカット線７ｂは、複数本に分岐したハーフカット線７ｃ又は広幅に形成されたハーフカット線７ｃで連結されている。
【００２８】
複数本に分岐したハーフカット線７ｃの態様の場合は１本の場合に比べてより切れやすくなっているので、切欠き部２８より、切れ目のきっかけが与えられると、まず端部のハーフカット線７ａが切れ、次に図３（Ｂ）の矢印Ｑに示すように、ずれて設けられた中央部のハーフカット線７ｂに向かう方向に、複数本に分岐したハーフカット線７ｃが切れ、続いて、中央部のハーフカット線７ｂが切れていく。
【００２９】
この場合、中央部のハーフカット線７ｂは、当該包装袋の厚み方向の投影において、第１の開封誘導線６から上記幅方向と直交する方向にずれた位置に形成されているので、図３（Ｃ）に示すように、開封後に、上記幅方向と直交する高さ方向において、一方側のフィルム２の開口端と他方側のフィルム３の開口端との間に段差ができるようになり、切り口の端を指で容易につまむことができる。ひいては取り出し口８を容易に開けて、チャック２９を開けて内容物を取り出すことができる。複数本に分岐したハーフカット線７ｃは、包装袋の両側に設けられているので、左側から切っても右側から切っても、段差が確実に生じる。
【００３０】
図３（Ｂ）を再び参照して、複数本に分岐したハーフカット線７ｃとしたのは、矢印Ｑに示す方向に切れ易くするためである。もしもこれを１本のハーフカット線で構成すると、切欠き部２８に切れ目のきっかけが与えられた場合、ハーフカット線７ｃの延びる方向（Ｑに示す方向）に切れずに、そのまま第２の開封誘導線７が一直線に、すなわち第１の開封誘導線６に平行に切れる場合もあり、この場合、段差ができなくなる。それを防ぐために、図３（Ｂ）に示すように、中央部のハーフカット線７ｂに向かう方向Ｑに確実にハーフカット線７ｃが切れるように、これを複数本に、実施例では３本に分岐させているのである。分岐の数は２以上、より好ましくは３以上である。
【００３１】
連結用のハーフカット線７ｃを、両端部７ａ若しくは中央部のハーフカット線７ｂよりも広幅に形成されたハーフカット線７ｃで形成した態様の場合も同様である。すなわち、両端部から中央に向かって切れてきた力が、幅の広いハーフカット線７ｃで一旦受け止められ、続いて該幅の広いハーフカット線７ｃに沿って切れ、その後、中央部のハーフカット線７ｂが切れていく。中央部のハーフカット線７ｂは、第１の開封誘導線６から幅方向と直交する方向にずれた位置に形成されているので、開封後に、上記幅方向と直交する高さ方向において、一方の側のフィルムの開口端と他方の側のフィルムの開口端との間に段差ができるようになる。
【００３２】
図４は、レーザ加工の様子を示す、多層積層フィルムの断面図である。多層積層フィルムは、表層１７／接着層２７／中間層１８／シール層１９からなる。開封誘導線６，７のそれぞれは、レーザ加工で表層側からハーフカットされ、表層１７のみに形成される。これによってハーフカット線が形成される。
【００３３】
なお、表層１７はポリエステル系フィルム又はポリアミド系フィルムで形成されるのが好ましいが、これに限定されるものではない。表層１７の厚みはポリエステルの場合１２〜２５μｍ、ポリアミドの場合１５μｍである。中間層１８はアルミ（ＡＬ）箔で形成されるのが好ましい。中間層１８の厚みは７μｍである。シール層１９の厚みは４０〜７０μｍである。シール層１９は、後述する熱シールするためのものであり、ポリプロピレン系フィルム又はポリエチレン系フィルムで形成されるのが好ましい。
【００３４】
第１および第２の開封誘導線６，７は、レーザーヘッドにより部分的にレーザを発振し、フィルムへ加工することによって形成される。
【００３５】
本発明は、開封誘導線の下に位置する部分に、再封止手段を有する袋に有効であるが、これに限られるものでない。
【００３６】
また、当該包装袋はピロー袋又はガゼット袋であってもよい。
【００３７】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３８】
本発明によれば、開封し易く、かつ開封後に被包装物を速やかに取り出すことができる易開封性包装袋が得られる。
【符号の説明】
【００３９】
１    包装袋
２    一方の側のフィルム
３    他方の側のフィルム
４    底部
５    側部
６    第１の開封誘導線
７    第２の開封誘導線
７ａ  両端部のハーフカット線
７ｂ  中央部のハーフカット線
７ｃ  複数本に分岐したハーフカット線又は広幅に形成されたハーフカット線
８    取り出し口
１７  表層
１８  中間層
１９  シール層
２３  食品包装用袋
２４  内容物
２５  開封誘導線
２６  取り出し口
２７  接着層
２８  切欠き部
２９  チャック
【図１】
2016150754.tif 000003
【図２】
2016150754.tif 000004
【図３】
2016150754.tif 000005
【図４】
2016150754.tif 000006
【図５】
2016150754.tif 000007